(57)【要約】【課題】プロジェクタに接続されたケーブルを極力目立たせることなく、プロジェクタの向き及び姿勢を調整することが可能なプロジェクタ天吊り装置を提供する。【解決手段】天井側に取り付けられる天井側固定部材１０と、プロジェクタ側に取り付けられるプロジェクタ側固定部材２０と、天井側固定部材１０及びプロジェクタ側固定部材２０を連結する連結部材３０と、プロジェクタの向き及び姿勢を調整するための向き／姿勢調整装置４０とを備えるプロジェクタ天吊り装置１。連結部材３０の管状部３２は、内部が空洞状であって、天井側固定部材側に開口する第１の開口部３４及びプロジェクタ側固定部材側に開口する第２の開口部３６を有する。向き／姿勢調整装置４０は、ｘ軸、ｙ軸及びｚ軸を中心としてプロジェクタの回転角度をそれぞれ調整可能なｘ軸調整機構５０、ｙ軸調整機構６０及びｚ軸調整機構７０を有し、これら調整機構は互いに独立して設けられている。【選択図】図１
2009204902.tif 000002
【特許請求の範囲】
【請求項１】
投写レンズを有するプロジェクタを天井から吊り下げるためのプロジェクタ天吊り装置であって、
前記天井側に取り付けられる天井側固定部材と、
前記プロジェクタ側に取り付けられるプロジェクタ側固定部材と、
前記天井側固定部材及び前記プロジェクタ側固定部材を連結する連結部材と、
前記プロジェクタの向き及び姿勢を調整するための向き／姿勢調整装置とを備え、
前記連結部材は、
内部が空洞状であって、前記天井側固定部材側に開口する第１の開口部及び前記プロジェクタ側固定部材側に開口する第２の開口部を有し、
前記向き／姿勢調整装置は、
水平面内で直交する２軸のうち前記投写レンズの光軸に沿った軸をｘ軸とし、他方をｙ軸とし、前記ｘ軸及び前記ｙ軸に直交する軸をｚ軸としたとき、前記ｘ軸、前記ｙ軸及び前記ｚ軸を中心として前記プロジェクタの回転角度をそれぞれ調整可能なｘ軸調整機構、ｙ軸調整機構及びｚ軸調整機構を有し、
前記ｘ軸調整機構と前記ｙ軸調整機構と前記ｚ軸調整機構とは、互いに独立して設けられていることを特徴とするプロジェクタ天吊り装置。
【請求項２】
請求項１に記載のプロジェクタ天吊り装置において、
前記天井側固定部材は、前記第１の開口部に対応する位置に設けられた開口部を有することを特徴とするプロジェクタ天吊り装置。
【請求項３】
請求項１又は２に記載のプロジェクタ天吊り装置において、
前記プロジェクタは、ケーブルが接続されるインタフェース部をさらに有するプロジェクタであって、
前記インタフェース部を覆う覆い部材をさらに備えることを特徴とするプロジェクタ天吊り装置。
【請求項４】
請求項１〜３のいずれかに記載のプロジェクタ天吊り装置において、
前記ｘ軸調整機構、前記ｙ軸調整機構及び前記ｚ軸調整機構は、ネジ調整式の調整機構であることを特徴とするプロジェクタ天吊り装置。
【発明の詳細な説明】
【技術分野】
【０００１】
本発明は、プロジェクタ天吊り装置に関する。
【背景技術】
【０００２】
従来、プロジェクタを天井から吊り下げるためのプロジェクタ天吊り装置として、ボールジョイント機構からなる向き／姿勢調整装置を備えるプロジェクタ天吊り装置が知られている（例えば、特許文献１参照。）。
【０００３】
従来のプロジェクタ天吊り装置によれば、ボールジョイント機構からなる向き／姿勢調整装置を備えるため、プロジェクタの向き及び姿勢を調整することが可能となる。
【０００４】
なお、この明細書において「プロジェクタの向きを調整する」とは、水平面内で直交する２軸のうちプロジェクタの投写レンズの光軸に沿った軸をｘ軸とし、他方をｙ軸とし、ｘ軸及びｙ軸に直交する軸をｚ軸としたとき、ｘ軸及びｚ軸を含むｘ−ｚ面内におけるプロジェクタの回転角度を調整すること、並びにｘ軸及びｙ軸を含むｘ−ｙ面内（水平面内）におけるプロジェクタの回転角度を調整することを意味する。また、「プロジェクタの姿勢を調整する」とは、ｙ軸及びｚ軸を含むｙ−ｚ面内におけるプロジェクタの回転角度を調整することを意味する。
【０００５】
【特許文献１】特開２００２−７２３５２号公報
【発明の開示】
【発明が解決しようとする課題】
【０００６】
ところで、近年の天吊り型のプロジェクタにおいて、プロジェクタに接続されたケーブル（例えばＡＶケーブルや電源ケーブルなど）を目立たせたくないという要望がある。
【０００７】
そこで、本発明は、このような事情に鑑みてなされたもので、プロジェクタに接続されたケーブルを極力目立たせることなく、プロジェクタの向き及び姿勢を調整することが可能なプロジェクタ天吊り装置を提供することを目的とする。
【課題を解決するための手段】
【０００８】
本発明の発明者は、上記の目的を達成するため、プロジェクタに接続されたケーブルを目立たせなくするための手段を探るべく鋭意研究を重ねた結果、天井側固定部材とプロジェクタ側固定部材とを連結する部分を空洞化させれば、プロジェクタに接続されたケーブルを極力目立たせなくすることが可能となるという知見を得た。
【０００９】
しかしながら、従来のプロジェクタ天吊り装置においては、ボールジョイント機構が存在するため、天井側固定部材とプロジェクタ側固定部材とを連結する部分を空洞化させることは容易なことではない。なお、ボールジョイント機能を無くせば、天井側固定部材とプロジェクタ側固定部材とを連結する部分を空洞化させることができるが、プロジェクタの向き及び姿勢を調整することができなくなる。
【００１０】
本発明の発明者は、以上の知見に基づいて、プロジェクタに接続されたケーブルを極力目立たせることなく、かつ、プロジェクタの向き及び姿勢を調整することを可能とする手段を探るべく、さらなる研究を重ねた結果、内部が空洞状の連結部材を用いるとともに、ボールジョイント機構からなる向き／姿勢調整装置に代えて、ｘ軸、ｙ軸及びｚ軸を中心としてプロジェクタの回転角度をそれぞれ調整可能なｘ軸調整機構、ｙ軸調整機構及びｚ軸調整機構を有する向き／姿勢調整装置を用いれば、プロジェクタに接続されたケーブルを極力目立たせることなく、プロジェクタの向き及び姿勢を調整することが可能となることを見出し、本発明を完成させるに至った。
【００１１】
すなわち、本発明のプロジェクタ天吊り装置は、投写レンズを有するプロジェクタを天井から吊り下げるためのプロジェクタ天吊り装置であって、前記天井側に取り付けられる天井側固定部材と、前記プロジェクタ側に取り付けられるプロジェクタ側固定部材と、前記天井側固定部材及び前記プロジェクタ側固定部材を連結する連結部材と、前記プロジェクタの向き及び姿勢を調整するための向き／姿勢調整装置とを備え、前記連結部材は、内部が空洞状であって、前記天井側固定部材側に開口する第１の開口部及び前記プロジェクタ側固定部材側に開口する第２の開口部を有し、前記向き／姿勢調整装置は、水平面内で直交する２軸のうち前記投写レンズの光軸に沿った軸をｘ軸とし、他方をｙ軸とし、前記ｘ軸及び前記ｙ軸に直交する軸をｚ軸としたとき、前記ｘ軸、前記ｙ軸及び前記ｚ軸を中心として前記プロジェクタの回転角度をそれぞれ調整可能なｘ軸調整機構、ｙ軸調整機構及びｚ軸調整機構を有し、前記ｘ軸調整機構と前記ｙ軸調整機構と前記ｚ軸調整機構とは、互いに独立して設けられていることを特徴とする。
【００１２】
このため、本発明のプロジェクタ天吊り装置によれば、内部が空洞状の連結部材を備えているため、連結部材の内部にプロジェクタのケーブルを通すことにより、プロジェクタのケーブルを目立たせなくすることが可能となる。
【００１３】
また、本発明のプロジェクタ天吊り装置によれば、ｘ軸、ｙ軸及びｚ軸を中心としてプロジェクタの回転角度をそれぞれ調整可能なｘ軸調整機構、ｙ軸調整機構及びｚ軸調整機構を有する向き／姿勢調整装置を備えているため、ｘ軸調整機構によってｙ−ｚ平面におけるプロジェクタの回転角度を調整することができ、ｙ軸調整機構によってｘ−ｚ平面におけるプロジェクタの回転角度を調整することができ、ｚ軸調整機構によってｘ−ｙ平面におけるプロジェクタの回転角度を調整することができる。つまり、本発明のプロジェクタ天吊り装置によれば、プロジェクタの向き及び姿勢を調整することが可能となる。
【００１４】
ところで、ボールジョイント機構からなる向き／姿勢調整装置は、ｘ−ｙ平面、ｙ−ｚ平面及びｘ−ｚ平面におけるプロジェクタの回転角度を同時に調整することができる反面、これら３つの平面のうち例えば１つの平面におけるプロジェクタの回転角度だけを調整するのは容易なことではなく、プロジェクタ設置時の最終段階におけるプロジェクタの向き及び姿勢を微調整するのは容易なことではない。
これに対し、本発明のプロジェクタ天吊り装置によれば、ｘ軸調整機構とｙ軸調整機構とｚ軸調整機構とは互いに独立して設けられているため、３つの平面のうち１つの平面におけるプロジェクタの回転角度だけを調整したり、３つの平面のうち２つの平面におけるプロジェクタの回転角度を調整したりするのも容易に行うことができる。このため、プロジェクタ設置時の最終段階におけるプロジェクタの向き及び姿勢を比較的容易に微調整することができる。
【００１５】
また、ボールジョイント機構を用いた場合、ボールジョイント機構の大きさの都合上、天井とプロジェクタとの距離を比較的広く確保しなければならないが、プロジェクタが天井から離れた位置に配設されるとプロジェクタが目立ってしまうという理由により、このようなプロジェクタ天吊り装置はユーザから敬遠されがちであるという実情がある。
これに対し、本発明のプロジェクタ天吊り装置によれば、そのようなボールジョイント機構を用いていないことから、天井とプロジェクタとの距離を従来よりも近づけることができ、プロジェクタが目立ってしまうのを極力抑制することが可能となる。
【００１６】
さらにまた、本発明のプロジェクタ天吊り装置によれば、コスト高の要因となるボールジョイント機構を用いていないことから、製造コストを低く抑えることが可能となる。
【００１７】
本発明のプロジェクタ天吊り装置においては、前記天井側固定部材は、前記第１の開口部に対応する位置に設けられた開口部を有することが好ましい。
【００１８】
このように構成することにより、連結部材の内部に通したケーブルを、外部に露出させることなく天井の内部にそのまま通すことができ、プロジェクタに接続されたケーブルをさらに目立たせなくすることが可能となる。
【００１９】
本発明のプロジェクタ天吊り装置においては、前記プロジェクタは、ケーブルが接続されるインタフェース部をさらに有するプロジェクタであって、前記インタフェース部を覆う覆い部材をさらに備えることが好ましい。
【００２０】
このように構成することにより、プロジェクタに接続されたケーブルをさらに目立たせなくすることが可能となる。
【００２１】
本発明のプロジェクタ天吊り装置においては、前記ｘ軸調整機構、前記ｙ軸調整機構及び前記ｚ軸調整機構は、ネジ調整式の調整機構であることが好ましい。
【００２２】
ネジ調整式の調整機構は、ボールジョイント機構に比べてコストが安いことから、製造コストを従来よりも低く抑えることが可能となる。
【発明を実施するための最良の形態】
【００２３】
以下、本発明のプロジェクタ天吊り装置について、図に示す実施の形態に基づいて説明する。
【００２４】
［実施形態１］
図１は、実施形態１に係るプロジェクタ天吊り装置１を説明するために示す図である。図１（ａ）はプロジェクタ天吊り装置１及びプロジェクタＰＪの正面斜視図であり、図１（ｂ）はプロジェクタ天吊り装置１及びプロジェクタＰＪの背面斜視図であるなお、図１（ａ）及び図１（ｂ）においては、インタフェース部Ｉに接続されたＡＶケーブルＡ及び電源ケーブルＢの図示並びにボルト部材１８，２８の図示を省略している。
【００２５】
図２は、実施形態１に係るプロジェクタ天吊り装置１を説明するために示す図である。図２（ａ）はプロジェクタ天吊り装置１及びプロジェクタＰＪの正面図であり、図２（ｂ）はプロジェクタ天吊り装置１及びプロジェクタＰＪの側面図である。なお、図２（ａ）及び図２（ｂ）において、発明の理解を容易にするため、管状部３２の周辺部分及び天井Ｃを断面図で示している。
【００２６】
図３は、実施形態１に係るプロジェクタ天吊り装置１の全体斜視図である。
図４は、実施形態１に係るプロジェクタ天吊り装置１の分解斜視図である。
図５は、天井側固定部材１０の斜視図である。
図６は、プロジェクタ側固定部材２０の斜視図である。
図７は、連結部材３０を説明するために示す図である。図７（ａ）は連結部材３０を上から見た斜視図であり、図７（ｂ）は連結部材３０を下から見た斜視図である。
【００２７】
図８は、向き／姿勢調整装置４０による調整動作を説明するために示す図である。図８（ａ）はｘ軸調整機構５０のｘ軸調整ダイヤル５４を回転させたときのプロジェクタＰＪの動作を示す図であり、図８（ｂ）はｙ軸調整機構６０のｙ軸調整ダイヤル６４を回転させたときのプロジェクタＰＪの動作を示す図であり、図８（ｃ）はｚ軸調整機構７０のダイヤルネジ部７２を回転させたときのプロジェクタＰＪの動作を示す図である。
【００２８】
なお、以下の説明においては、水平面内で直交する２軸のうちプロジェクタの投写レンズの光軸に沿った軸をｘ軸とし、他方をｙ軸とし、ｘ軸及びｙ軸に直交する軸（鉛直軸）をｚ軸とする。
【００２９】
実施形態１に係るプロジェクタ天吊り装置１は、図１〜図４に示すように、プロジェクタＰＪを天井Ｃから吊り下げるためのプロジェクタ天吊り装置であって、天井Ｃ側に取り付けられる天井側固定部材１０と、プロジェクタＰＪ側に取り付けられるプロジェクタ側固定部材２０と、天井側固定部材１０及びプロジェクタ側固定部材２０を連結する連結部材３０と、プロジェクタＰＪの向き及び姿勢を調整するための向き／姿勢調整装置４０とを備える。
【００３０】
なお、プロジェクタＰＪは、前面側に配置される投写レンズＬと、背面側に配設されるインタフェース部Ｉとを少なくとも備え、図示による説明は省略するが、筐体内部に光学エンジン等が配設されている。インタフェース部Ｉには、ＡＶケーブルＡや電源ケーブルＢなどのケーブル類が接続されている（図２（ｂ）参照。）。これらのケーブル類は、天井Ｃに設けられたケーブル通し孔を介して配線されている。
【００３１】
天井側固定部材１０は、図５に示すように、略四角形状の天井側プレート１２と、天井側プレート１２を天井Ｃに取り付け・固定するための４つのボルト部材１８とを有する。天井側プレート１２は、プレート隅部分に形成された４つのボルト嵌合孔１４と、プレート中央部分に形成された開口部１６とを有し、４つの嵌合孔１４のそれぞれにボルト部材１８を通した状態で天井Ｃに固定可能に構成されている（図２参照。）。開口部１６は、図４から分かるように、連結部材３０の第１の開口部３４に対応した位置及び径寸法で形成されている。天井側プレート１２は、例えば、折り曲げ加工された金属板（アルミニウム板など）から構成されている。
【００３２】
プロジェクタ側固定部材２０は、図６に示すように、略四角形状のプロジェクタ側プレート２２と、プロジェクタ側プレート２２をプロジェクタＰＪに取り付け・固定するための４つのボルト部材２８とを有する。プロジェクタ側プレート２２は、プレート隅部分に形成された４つのボルト嵌合孔２４と、プレート中央部分に形成され、向き／姿勢調整装置４０の一部の部材を通過させるための通過孔２６と、通過孔２６の両側部に形成された２つの孔２７とを有し、４つの嵌合孔２４のそれぞれにボルト部材２８を通した状態でプロジェクタＰＪに固定可能に構成されている（図２参照。）。なお、プロジェクタＰＪには、ボルト部材２８と嵌合する図示しない嵌合孔が設けられている。２つの孔２７は、ｙ軸調整機構６０のｙ軸調整ダイヤル６４を回しやすくするために、ｙ軸調整ダイヤル６４の位置に対応して設けられている。プロジェクタ側プレート２２は、例えば、折り曲げ加工された金属板（アルミニウム板など）から構成されている。また、プロジェクタ側プレート２２は、他のプロジェクタ側プレートと交換可能に構成されている。プロジェクタ側プレートとして、取り付けるプロジェクタＰＪの嵌合孔の位置に応じた嵌合孔２４を有するプロジェクタ側プレート２２を用意しておけば、プロジェクタ側プレート２２を交換するだけで、様々な種類のプロジェクタに対応することができる。
【００３３】
連結部材３０は、図７に示すように、内部が空洞状の管状部３２と、管状部３２とｙ軸調整機構６０の支持部６２とを接続する接続部３８とを有する。管状部３２における２つの開口部のうち、天井側固定部材１０側の開口部が第１の開口部３４であり、プロジェクタ側固定部材２０側の開口部が第２の開口部３６である。連続部材３０は、例えば金属フレーム（アルミフレームなど）から構成されている。
【００３４】
向き／姿勢調整装置４０は、ｘ軸を中心としてプロジェクタＰＪの回転角度を調整可能なｘ軸調整機構５０と、ｙ軸を中心としてプロジェクタＰＪの回転角度を調整可能なｙ軸調整機構６０と、ｚ軸を中心としてプロジェクタＰＪの回転角度を調整可能な及びｚ軸調整機構７０とを有する。
【００３５】
ｘ軸調整機構５０は、内部に図示しないネジ調整式の調整機構を備える支持部５２と、支持部５２の前面側（投写レンズＬ側）に設けられたｘ軸調整ダイヤル５４とを有し、プロジェクタ側プレート２２の下側に配設されている。ｘ軸調整ダイヤル５４を回転させることにより、ｘ軸を中心としてプロジェクタＰＪの回転角度を調整することができる（図８（ａ）参照。）。
【００３６】
ｙ軸調整機構６０は、内部に図示しないネジ調整式の調整機構を備える支持部６２
と、支持部６２の両側部に設けられたｙ軸調整ダイヤル６４とを有し、接続部材６６を介してｚ軸調整機構５０の支持部５２と接続された状態で、プロジェクタ側プレート２２の上側に配設されている。ｙ軸調整ダイヤル６４を回転させることにより、ｙ軸を中心としてプロジェクタＰＪの回転角度を調整することができる（図８（ｂ）参照。）。
【００３７】
ｚ軸調整機構７０は、ネジ調整式のダイヤルネジ部７２を有し、管状部３２の上端（管状部３２と天井側プレート１２との間）に配設されている。ダイヤルネジ部７２を回転させることにより、ｚ軸を中心としてプロジェクタＰＪの回転角度を調整することができる（図８（ｃ）参照。）。
【００３８】
これらｘ軸調整機構５０とｙ軸調整機構６０とｚ軸調整機構７０とは、互いに独立して設けられている。
なお、「ｘ軸調整機構５０とｙ軸調整機構６０とｚ軸調整機構７０とが互いに独立して設けられている」とは、例えば、ｘ軸調整機構５０によってｙ−ｚ平面におけるプロジェクタＰＪの回転角度を調整したときに、ｘ−ｙ平面及びｘ−ｚ平面におけるプロジェクタＰＪの回転角度がそのままの状態で維持することができるように、それら３つの調整機構が設けられていること、つまり、一の調整機構による調整操作が他の調整機構による調整操作に影響しないように３つの調整機構が設けられていることをいう。
【００３９】
以上のように構成された実施形態１に係るプロジェクタ天吊り装置１によれば、内部が空洞状の管状部３２を備えているため、図２に示すように、管状部３２の内部にプロジェクタＰＪのケーブル（ＡＶケーブルＡ及び電源ケーブルＢ）を通すことにより、プロジェクタＰＪのケーブルを目立たせなくすることが可能となる。
【００４０】
また、実施形態１に係るプロジェクタ天吊り装置１によれば、ｘ軸、ｙ軸及びｚ軸を中心としてプロジェクタＰＪの回転角度をそれぞれ調整可能なｘ軸調整機構５０、ｙ軸調整機構６０及びｚ軸調整機構７０を有する向き／姿勢調整装置４０を備えているため、ｘ軸調整機構５０によってｙ−ｚ平面におけるプロジェクタＰＪの回転角度を調整することができ、ｙ軸調整機構６０によってｘ−ｚ平面におけるプロジェクタＰＪの回転角度を調整することができ、ｚ軸調整機構７０によってｘ−ｙ平面におけるプロジェクタＰＪの回転角度を調整することができる。つまり、実施形態１に係るプロジェクタ天吊り装置１によれば、プロジェクタＰＪの向き及び姿勢を調整することが可能となる。
【００４１】
また、実施形態１に係るプロジェクタ天吊り装置１によれば、ｘ軸調整機構５０とｙ軸調整機構６０とｚ軸調整機構７０とは互いに独立して設けられているため、３つの平面のうち１つの平面におけるプロジェクタＰＪの回転角度だけを調整したり、３つの平面のうち２つの平面におけるプロジェクタＰＪの回転角度を調整したりするのも容易に行うことができる。このため、プロジェクタ設置時の最終段階におけるプロジェクタＰＪの向き及び姿勢を比較的容易に微調整することができる。
【００４２】
また、実施形態１に係るプロジェクタ天吊り装置１によれば、従来のようなボールジョイント機構を用いていないことから、天井ＣとプロジェクタＰＪとの距離を従来よりも近づけることができ、プロジェクタＰＪが目立ってしまうのを極力抑制することが可能となる。
【００４３】
さらにまた、実施形態１に係るプロジェクタ天吊り装置１によれば、コスト高の要因となるボールジョイント機構を用いていないことから、製造コストを低く抑えることが可能となる。
【００４４】
実施形態１に係るプロジェクタ天吊り装置１においては、天井側固定部材１０は、第１の開口部３４に対応する位置に設けられた開口部１６を有するため、連結部材３０の内部に通したケーブル（ＡＶケーブルＡ及び電源ケーブルＢ）を、外部に露出させることなく天井Ｃの内部にそのまま通すことができ、プロジェクタＰＪに接続されたケーブルをさらに目立たせなくすることが可能となる。
【００４５】
実施形態１に係るプロジェクタ天吊り装置１においては、ｘ軸調整機構５０、ｙ軸調整機構６０及びｚ軸調整機構７０は、ネジ調整式の調整機構である。ネジ調整式の調整機構は、ボールジョイント機構に比べてコストが安いことから、製造コストを従来よりも低く抑えることが可能となる。
【００４６】
［実施形態２］
図９は、実施形態２に係るプロジェクタ天吊り装置２を説明するために示す図である。図９（ａ）はプロジェクタ天吊り装置２及びプロジェクタＰＪの正面斜視図であり、図９（ｂ）はプロジェクタ天吊り装置２及びプロジェクタＰＪの背面斜視図である。
【００４７】
実施形態２に係るプロジェクタ天吊り装置２は、基本的には実施形態１に係るプロジェクタ天吊り装置１と同様の構成を有するが、覆い部材をさらに備える点で、実施形態１に係るプロジェクタ天吊り装置１とは異なる。
【００４８】
覆い部材８０は、図９に示すように、プロジェクタＰＪの前面側の上部を覆うように構成された前面側覆い部材８２と、プロジェクタＰＪの背面側（特にインタフェース部Ｉ）を覆うように構成された背面側覆い部材８４とを有する。前面側覆い部材８２及び背面側覆い部材８４は、ともに樹脂材料からなる樹脂ケースである。
【００４９】
このように、実施形態２に係るプロジェクタ天吊り装置２は、実施形態１に係るプロジェクタ天吊り装置１とは、覆い部材をさらに備える点で異なるが、実施形態１に係るプロジェクタ天吊り装置１の場合と同様に、内部が空洞状の管状部３２を備えるとともに、ｘ軸調整機構５０、ｙ軸調整機構６０及びｚ軸調整機構７０を有する向き／姿勢調整装置４０を備えているため、プロジェクタＰＪに接続されたケーブル（ＡＶケーブルＡ及び電源ケーブルＢ）を極力目立たせることなく、プロジェクタＰＪの向き及び姿勢を調整することが可能となる。
【００５０】
実施形態２に係るプロジェクタ天吊り装置２においては、インタフェース部Ｉを覆う覆い部材８０をさらに備えるため、プロジェクタＰＪに接続されたケーブルをさらに目立たせなくすることが可能となる。
【００５１】
実施形態２に係るプロジェクタ天吊り装置２は、覆い部材をさらに備える点以外では、実施形態１に係るプロジェクタ天吊り装置１と同様の構成を有するため、実施形態１に係るプロジェクタ天吊り装置１が有する効果のうち該当する効果をそのまま有する。
【００５２】
以上、本発明のプロジェクタ天吊り装置を上記の各実施形態に基づいて説明したが、本発明は上記の各実施形態に限られるものではなく、その要旨を逸脱しない範囲において種々の態様において実施することが可能であり、例えば次のような変形も可能である。
【００５３】
上記各実施形態においては、プロジェクタ側プレート２２に、ボルト嵌合孔２４と通過孔２６と孔２７とが形成されている場合を例示したが、本発明はこれに限定されるものではなく、例えば、ケーブルを通過させるための開口部が形成されていてもよい。この場合には、プロジェクタに接続されたケーブルを、プロジェクタ側プレート２２の上側を通さずに下側（プロジェクタＰＪとプロジェクタ側プレート２２との間）を通して管状部３２に導く構成とすることもできるため、プロジェクタＰＪに接続されたケーブルをさらに目立たせなくすることが可能となる。
【００５４】
上記各実施形態においては、天井側プレート１２及びプロジェクタ側プレート２２並びに連結部材３０がそれぞれアルミニウム板やアルミフレームなどの金属材料から構成されていたが、本発明はこれに限定されるものではなく、アルミニウム以外の金属材料から構成されていてもよいし、金属材料以外の材料（例えば樹脂材料）から構成されていてもよい。
【００５５】
上記実施形態２においては、覆い部材８０が樹脂材料から構成されていたが、本発明はこれに限定されるものではなく、樹脂材料以外の材料（例えば金属材料）から構成されていてもよい。
【００５６】
上記各実施形態においては、ボルト部材１８によって天井側プレート１２が天井Ｃに取り付け・固定され、ボルト部材２８によってプロジェクタ側プレート２２がプロジェクタＰＪに取り付け・固定されている場合を例示して説明したが、本発明はこれに限定されるものではなく、他の固定手段によってこれら各プレートが天井又はプロジェクタに取り付け・固定されていてもよい。
【００５７】
上記各実施形態においては、ケーブル類が接続されるインタフェース部がプロジェクタの背面側に配置されている場合を例示して説明したが、本発明はこれに限定されるものではなく、インタフェース部がプロジェクタの側面側に配置されていてもよい。この場合は、プロジェクタ側面から管状部内にケーブルを容易に導くことができるように、連結部材（接続部）や向き／姿勢調整装置（ｙ軸調整機構）が構成されていることが好ましい。
【図面の簡単な説明】
【００５８】
【図１】実施形態１に係るプロジェクタ天吊り装置１を説明するために示す図。
【図２】実施形態１に係るプロジェクタ天吊り装置１を説明するために示す図。
【図３】実施形態１に係るプロジェクタ天吊り装置１の全体斜視図。
【図４】実施形態１に係るプロジェクタ天吊り装置１の分解斜視図。
【図５】天井側固定部材１０の斜視図。
【図６】プロジェクタ側固定部材２０の斜視図。
【図７】連結部材３０を説明するために示す図。
【図８】向き／姿勢調整装置４０による調整動作を説明するために示す図。
【図９】実施形態２に係るプロジェクタ天吊り装置２を説明するために示す図。
【符号の説明】
【００５９】
１，２…プロジェクタ天吊り装置、１０…天井側固定部材、１２…天井側プレート、１４…ボルト嵌合孔、１６…開口部、１８…ボルト部材、２０…プロジェクタ側固定部材、２２…プロジェクタ側プレート、２４…ボルト嵌合孔、２６…通過孔、２７…孔、２８…ボルト部材、３０…連結部材、３２…管状部、３４…第１の開口部、３６…第２の開口部、３８…接続部、４０…向き／姿勢調整装置、５０…ｘ軸調整機構、５２…支持部、５４…ｘ軸調整ダイヤル、６０…ｙ軸調整機構、６２…支持部、６４…ｙ軸調整ダイヤル、６６…接続部材、７０…ｚ軸調整機構、７２…ダイヤルネジ部、８０…覆い部材、８２…前面側覆い部材、８４…背面側覆い部材、Ａ…ＡＶケーブル、Ｂ…電源ケーブル、Ｃ…天井、Ｉ…インタフェース部、Ｌ…投写レンズ、ＰＪ…プロジェクタ
【図１】
2009204902.tif 000003
【図２】
2009204902.tif 000004
【図３】
2009204902.tif 000005
【図４】
2009204902.tif 000006
【図５】
2009204902.tif 000007
【図６】
2009204902.tif 000008
【図７】
2009204902.tif 000009
【図８】
2009204902.tif 000010
【図９】
2009204902.tif 000011